(57)【要約】  自動車両内に配置され、電気エネルギー源に接続された中央ワイヤレスモジュールと、自動車両の前方および後方に配置されている電子登録プレートとを具備し、登録プレートは、マイクロネットワークで動作している組み込み衛星ワイヤレスモジュールを備える、ワイヤレス電子登録プレートのシステム。登録プレートは、薄膜バッテリに接続された太陽電池からの電気エネルギー源を有している。登録データはソーラーハウジングに埋め込まれたアクティブディスプレイを通して表示され、アクティブディスプレイは、２つのフレキシブル部品、電子ペーパーである前面ラミネートと、電子複合機器および制御モジュールを含む背面ラミネートとから作られている。電子複合機器には、ワイヤレス通信とデータ転送とのためのワイヤレスモジュールがある。登録プレートは、高耐久性保護プラスチックでラミネートされ、その背面には両面エポキシ接着テープがある。【選択図】      図２
2007526165.tif 000002
【特許請求の範囲】
【請求項１】
ワイヤレス電子登録プレートのシステムにおいて、
移動手段内の任意の領域に組み込むことができる、中央ワイヤレスモジュールと、
太陽電池によって独立して電源供給されるワイヤレス電子登録プレートと
を具備し、
中央ワイヤレスモジュールが、電気エネルギー源と配線されている可能性があり、
前記ワイヤレス電子登録プレートは、データ源（ブルートゥース技術とともに使用可能なポータブルコンピュータまたは何らかの類似の電子デバイス）からのデータの受信、データの更新、およびデータ源へのデータの送信、とともに前記中央ワイヤレスモジュールと衛星ワイヤレスモジュールとの間のデータの受信、データの更新、およびデータの送信を可能にする組み込みワイヤレス通信チップを備え、
前記衛星ワイヤレスモジュールは、前記ワイヤレス電子登録プレート中に配置され、
電子ペーパー、すなわち、電子インク技術が前記ワイヤレス電子登録プレート上でのデータの表示に使用される、
ワイヤレス電子登録プレートのシステム。
【請求項２】
前記ワイヤレス電子登録プレートは、２つの機能的部品、アクティブディスプレイおよびソーラーハウジングから形成され、これらは一緒になって分離できないユニットを形成する、請求項１記載のワイヤレス電子登録プレートシステム。
【請求項３】
前記アクティブディスプレイは、２つのフレキシブル部品で作られている、請求項２記載のワイヤレス電子登録プレートシステム。
【請求項４】
前記フレキシブル部品の第１のものに対して、電子ペーパーで作られた表示モジュールが使用され、前記表示モジュールは２つの層、前面ラミネートおよび背面ラミネートからなる、請求項３記載のワイヤレス電子登録プレートシステム。
【請求項５】
前記前面ラミネートは、透明電極を含むプラスチックフィルム層内に組み入れられている電子インクの層からなる、請求項４記載のワイヤレス電子登録プレートシステム。
【請求項６】
前記背面ラミネートは、フレキシブルプラスチックまたは金属／合金シートで作られており、前記背面ラミネートは、表示情報を制御する電子複合機器を含む、請求項４記載のワイヤレス電子登録プレートシステム。
【請求項７】
前記背面ラミネート中の電子複合機器は、制御モジュール、すなわち、テキストおよびグラフィックのためのメモリとドライバとを備えるチップと、ワイヤレスモジュール、すなわち、ワイヤレス通信およびデータ転送を可能にするチップとを含む、請求項６記載のワイヤレス電子登録プレートシステム。
【請求項８】
前記中央ワイヤレスモジュールは、ワイヤレスチップおよび電子機器回路からなり、前記電子機器回路は、前記移動手段内の電気エネルギー源とモジュールを適切に配線するために、およびモジュールを使用するために、必要とされる、請求項１記載のワイヤレス電子登録プレートシステム。
【請求項９】
前記ソーラーハウジングは、透明フレキシブルプラスチックで作られており、前記表示用アクティブスクリーンが、前記ソーラーハウジングに貼付され／埋め込まれて２つが全体として１つのものを作り上げるように、前記ソーラーハウジングは（受台のように）成型されている、請求項２記載のワイヤレス電子登録プレートシステム。
【請求項１０】
ソーラーモジュールは、薄型再充電可能バッテリに接続されている、薄型フレキシブルプラスチックフィルムで作られている太陽電池からなり、前記バッテリは、前記ソーラーモジュールの後ろのソーラーハウジング壁に埋め込まれており、前記ソーラーモジュールは前記ソーラーハウジングの下部に配置されている、請求項９記載のワイヤレス電子登録プレートシステム。
【請求項１１】
前記衛星モジュールへの電気エネルギーの供給に関して、前記ハウジングの背面に配置されている薄膜バッテリが使用され、前記薄膜バッテリの電極は、前記アクティブディスプレイの背面ラミネートの後ろの各接触領域と接触しており、前記アクティブディスプレイは前記ソーラーハウジングに貼付されている、請求項１０記載のワイヤレス電子登録プレートシステム。
【請求項１２】
組み立てられた登録プレートは、さらなる保護のために、高度保護プラスチックの付加的な層で、全体をさらにラミネートされている、請求項１または２記載のワイヤレス電子登録プレートシステム。
【請求項１３】
前記ワイヤレス電子登録プレートの背面に、両面のアクリル／エポキシテープが取り付けられており、前記アクリル／エポキシテープは、前記移動手段車体表面、バンパー、または、登録プレートホルダへの前記ワイヤレス電子登録プレートの貼付／接着を可能にする、請求項１２記載のワイヤレス電子登録プレートシステム。
【請求項１４】
ワイヤレス通信、表示すべきデータの選択、同期、転送およびデータ入力は、本発明の詳細な説明で説明する手続にしたがって行われる、請求項１３記載のワイヤレス電子登録プレートシステム。
【請求項１５】
前記ワイヤレス電子登録プレートは、既存の標準化され法的に必要とされている登録プレートの形態、パターンおよびサイズとすることができ、前記ワイヤレス電子登録プレートは、前記移動手段車体の外部または前記移動手段の内部のいずれかに配置することができ、また、本発明にしたがって、他の任意の形態、パターンおよびサイズで製造され、登録情報の記憶および表示の目的で内部または外部のいずれかに配置されている、いくつかの付加的ワイヤレス電子登録プレートと組み合わせることができる、請求項１または２記載のワイヤレス電子登録プレートシステム。
【発明の詳細な説明】
【本発明が関連する技術分野】
【０００１】
本発明は、登録プレート、または、ライセンスプレートを有することが通例である、すべての移動手段（すべての自動車両、船舶、航空移動手段）に対するワイヤレス電子登録プレートに関連し、データ入力、表示、登録情報の変更に対する新しい技術的素材および電子装置の使用による、ワイヤレス電子登録プレートに関連する。国際特許分類（ＩＰＣ）にしたがうと、本発明は、国際分類：Ｂ６０Ｒ１３／１０Ｂ−登録プレートに分類される。
【発明の背景】
【０００２】
現在、特に自動車とともに、世界的に使用されている登録プレートは、登録プレートの製造、配達、取り付け、および取り替えの非実用的プロセスのような、いくつかの最大の欠点を特徴とする。特に、登録プレートの窃盗および誤使用に対する保護についての既存のソリューションは、未熟で不適切である。使用される素材、寸法、デザイン、内容、および、登録情報の表示に使用される技術の多様性は各国で異なり、このことは、異なる品質の最終製品を通して反映されており、登録のプロセス全体をさらに複雑にし、長引かせている。
【関連技術の状況】
【０００３】
昨今、自動車両は世界的に、金属またはさまざまな合金で作られている登録プレートを使用しており、登録プレートは、車体の前方および後方部分に機械的に取り付けまたは据え付けられている。プレハブ式登録プレートを使用することにより、または、部品を受け取って登録プレートが取り付けられる、自動車工場製造の車両登録プレートを使用することにより、最も簡単で実用的な方法で登録プレートをどのように固定するかに関して、数多くのソリューションが提供されている。登録プレートは、主として、金属またはさまざまな合金で作られており、表面に保護層を備えるが、依然としてさまざまな大気（湿度、外部気温の高低）、および、機械的または物理的な要因にさらされており、これらの要因は、登録プレートの耐久性を短くする。主として機械的保護、窃盗および誤使用の異なる変形に対していくつかのソリューションが提供されているが、しかしながら、これらは市場で広く使用されていない。また、主としてＬＣＤまたはＴＦＴディスプレイの使用により、登録情報を表示するためのソリューションもあり、それらにおいては、プレートのより複雑なフォーマットに対する設計とともに、交通で使用されることになる付加的情報のより詳細な表示も提案されてきた。しかしながら、比較的高い製造コスト、扱いにくい設計、不適切な安全および保安の保護は、これらのソリューションを広い市場への適用に対して非実用的にしている。
【０００４】
他の移動手段（鉄道、船舶、航空機）で、既存のソリューションは、より簡素であり、それらは、機械的に取り付けられた、または、そのような目的に適切なさまざまな塗料の使用により車体表面に直接塗られた、登録サインの使用に基づいている。
【発明の開示】
【０００５】
本発明の第１の目的は、最も進んだ技術的素材を使用して、よい品質の登録プレートを製造することである。
【０００６】
本発明の第２の目的は、登録プレートに情報を表示することに関して、ワイヤレス転送およびデータ入力の使用により、登録プロセスを簡単にすることである。
【０００７】
本発明の次の目的は、登録プレートの窃盗および誤使用を防止し、実行不能にすることであり、連続的ワイヤレスネットワークを使用して、すべての移動手段の制御および監視を促進することでもある。
【０００８】
本発明の次の目的は、ソーラーエネルギー技術の最新ソリューションの適用により、登録プレートで使用される電子機器回路に対して、独立した電気供給を提供することである。
【０００９】
本発明のこれらの目的とともに、他の目的および利点は、以下のテキストでさらにより詳細な形態で説明する。
【００１０】
本発明にしたがうと、ＥインクまたはＥペーパーとして既に特許され、知られている、最も進んだ技術および素材の適用により、ワイヤレス電子登録プレートが作られるだろう。この素材の主な特徴は、あらゆる種類の書き込み情報（数字、英文字、図形およびイメージのデザイン）を電子的に入力して、Ｅインク／Ｅペーパーに表示でき、必要な場合、簡単な方法で変更または修正できることである。Ｅインク／Ｅペーパー技術は、白黒とともにカラーの情報の表示を可能にする。ＥインクまたはＥペーパーに表示される情報の品質や他の特徴は、現在市場にあるＬＣＤディスプレイおよび他の電子ディスプレイを含む、既存のソリューションに対して、多岐に渡ってよりよいものである。このタイプの素材を使用している間のエネルギー消費は、現在市場で利用可能なすべての他の既存の素材に対してかなり低い。
【００１１】
この素材のさらなる利点は、かなり薄く（電子層を除いた機能的部品は、わずか０．３−０．５ｍｍの厚さ）、フレキシブルであることであり、この素材は、ほとんどどのような表面にでも適用することができることである。
【００１２】
本発明では、この素材は、登録プレートの製造に関して使用されてもよく、各関連する国により法的に許可および承認されている寸法で、素材が透明プラスチックまたは類似の素材中にサンドイッチされ、あるいは、透明プラスチックまたは類似の素材でラミネートされ、非腐蝕性または類似の基部に取り付けられるような方法で使用されるだろう。
【００１３】
本登録プレートの取り付けに関して、２つの変形が提案されている。第１に、移動手段の車体上の登録プレートが通常配置される領域（例えば、自動車両／自動車では、車体の前方および後方部分ならびにバンパー、船舶では、側面、船首部分等）への、プレハブ式プレートの直接の取り付け／固定である。自動車両では特に、最も理想的なアプローチは、各自動車両／自動車製造者が、直接の、すなわち、車体またはバンパーに作り付けで取り付けを実行することであり、または、貼付すること、すなわち、関連する車両のモデルおよび／またはデザインにしたがって、表面に接着することである。第２に、または、過渡的な変形は、既存の登録プレートを使用している自動車両に関して、既存のプレートホルダに本プレートを貼付／接着することからなる。
【００１４】
両方の変形において、登録プレートは、表示情報の調整および制御に関するアクティブ電子機器回路、電子機器回路の直接給電のための太陽電池（薄型フィルム／パワーフィルムパネル）と、データ入力源（テーブルコンピュータ、ポータブルＰＣ、ノートブック、または、データ入力のための他の任意の電子デバイス）と登録プレートとの間のワイヤレス通信（ブルートゥース（登録商標））のためのチップとを組み込んでいる。一度実施されると、表示情報はほとんど静的であり、それを表示したまま維持する付加的エネルギーの必要はなく、エネルギー消費は最小である。したがって、そのような目的に対して、小型太陽電池を使用することができる。太陽電池は、データ入力、変更、更新のプロセスの間に使用される、ワイヤレスチップ、ディスプレイおよび他の電子機器回路の継続的給電に対して十分なエネルギーを提供するだろう。
【００１５】
車両中のプレートの中央チップと、データ入力源との間の通信は、ワイヤレス技術（ワイヤレス／ブルートゥース）を通して、そして、マイクロ、すなわち、ピコネットネットワーク（マスタ／スレーブ関係）の原理に基づいて実施される。データ入力および表示情報の更新の目的で、関連国に特有の寸法、デザイン、および他の特徴についてのすべての情報を含むソフトウェアが使用される。ポータブルコンピュータ／ノートブック、または、データ入力のための他の電子装置の使用により、特定のタイプの登録プレート、寸法、記章および付加的な必要とされる情報の選択後に、ブルートゥースチップを通して、直接登録プレートにワイヤレスデータの転送が行われる。
【００１６】
本発明の不可欠な部分であり、スケーリングされておらず、単に図解的なものであり、いくつかの図を通しての同一参照文字は、類似のエレメントを示す図面は、本発明の実行方法および適用の例を示している。図面はまた、データ入力、表示情報の変更および制御の基本的原理と、登録プレート窃盗および誤使用の保護の方法とを示している。
【実施形態の詳細な説明】
【００１７】
本発明を実行する１つの方法の例として、添付の図面を参照して、本発明をここで詳細に説明する。
【００１８】
図１を参照すると、２つの部品、表示用アクティブスクリーン（１、１Ａ）と、ソーラーハウジング（２、２Ａ）とから形成されている登録プレート（３、３Ａ）が示されている。ソーラーハウジングは、プレートの正常な機能に必要とされる組み込み電気エネルギー源を有している。
【００１９】
図２を参照すると、例示的な実施形態で、２つのフレキシブル部品で作られている、表示用アクティブスクリーン（１、１２）が示されている。第１のフレキシブル部品（１３）に対して、基本的に２つの層からなる、Ｅインク／Ｅペーパー表示モジュールが使用される。第１の層、前面ラミネート−ＦＰＬ（１７）は、第２の層、すなわち、表面プラスチックフィルム（１５）により組み入れられている電子インクを含み、表面プラスチックフィルムは、透明電極（１６）を含む。第１のフレキシブル部品の下部の表面は、第２のフレキシブル部品、背面ラミネートに直接貼付することを可能にする粘着層で覆われており、背面ラミネート、すなわち、薄膜トランジスタ−ＴＦＴ背面（１４、１８）は、組み込み電子機器回路を備える、フレキシブルプラスチックまたは金属／合金シートで作られた薄型基部である。スクリーン上の表示は、電子複合機器（９）により制御されており、電子複合機器は、制御モジュール（１０）と呼ばれる、テキストおよびグラフィックのための制御チップとドライバとを含む。電子複合機器内には、ワイヤレスモジュール、すなわち、チップ（１１）もあり、チップは、しかるべきデータ転送ソフトウェアプロトコルにしたがって、データ入力源（テーブルコンピュータ、ポータブルＰＣ、ノートブック、または、データ入力のための他の任意の電子装置）と電子複合機器との間のワイヤレス接続を確立する働きをする。
【００２０】
ソーラーハウジング（２、１９）は、透明フレキシブルプラスチックで作られており、表示用アクティブスクリーンが、ソーラーハウジングに貼付され／埋め込まれて（２３）、２つが全体として１つのものを作り上げる（２４）ように、プラスチックは（受台のように）成型されている。ソーラーハウジングの下部（７）には、ソーラーモジュールが配置され、ソーラーモジュールは、薄型、再充電可能バッテリ（８、２０）に接続されている、薄型フレキシブルプラスチックフィルムで作られた太陽電池（６、２２）からなり、バッテリは、ソーラーハウジング壁に埋め込まれており、または、表示用アクティブスクリーンの電子複合機器に直接接続されている。太陽電池は、電子複合機器、ワイヤレスモジュールの直接給電、または、バッテリ充電のために、十分な電気エネルギーを生み出す。本発明では、ソーラーモジュールに対して、またソーラー再充電可能バッテリに対しても、パワーフィルムモジュールおよび薄膜バッテリのような、すでに市場で見つけることのできる、または、製造の最終段階にあるものと同様な、最も革新的な素材および製品が使用される。
【００２１】
一度組み立てられると、登録プレート（３、４）は、さらに全体としてラミネートされ、すなわち、さらなる保護のため、透明の高度保護プラスチックの付加的な層が適用される（２６）。組み立てられた登録プレートの背面上に、市場で見つけることのできる、３Ｍ高品質エポキシテープのような、両面のアクリル／エポキシテープが貼付される（２５）。両面テープの貼付されていない側面は、除去可能なカバーシートにより覆われており、除去可能なカバーシートを剥がして、登録プレートを車両の表面に貼付／接着することができる。このようにして、登録プレートは、高品質接着剤の使用により、（車両製造の間に）直接車体およびバンパーに、または、後で（過渡的な変形として）既存のプレートホルダに、簡単に取り付け／貼付することができる。
【００２２】
図３を参照すると、本発明にしたがって、ワイヤレスモジュール、すなわち、前方と後方の登録プレート中に配置されているブルートゥースチップは、マイクロネットワークまたはピコネットのシステム上で機能するが、中央ワイヤレスモジュール（２９）は、電気エネルギー源へ直接ケーブル接続の可能性がある、車両内のどの場所にでも配置することができる。中央ワイヤレスモジュールは、車両組み立ての間に、または、後にインストールすることができ、車両内の既存の電気エネルギー源（ストレージバッテリ）に接続することができる。車両製造プロセスの間の直接インストールでは、中央ワイヤレスモジュールは、例えば、ＢＭＷ（登録商標）がその最新モデルで最近提示した、接続ドライブワイヤレスシステムでのような、車両中の中央コンピュータに組み込むことができる。中央ワイヤレスモジュールは、メインモジュールまたはマスタとも呼ばれ、前方と後方のプレート中に取り付けられるワイヤレスモジュールは、衛星モジュール（３０、３１）すなわち、スレーブである。必要に応じて、（例えば、トラック、トレイラー等で）付加的な衛星モジュールを加えることができる。
【００２３】
ワイヤレスデータ転送は、通常のプロトコル（ブルートゥース同期プロトコル）にしたがって、メインワイヤレスモジュール（２９）と、データ入力源（２７）との間で確立される。プレートが車両工場で取り付けられる場合、メインワイヤレスモジュールは、関連する車両の予め記憶されたシャーシ番号、すなわち、車両識別番号−ＶＩＮを有していてもよい。プレートが（既存のプレートホルダに取り付けられている）過渡的な変形として使用される場合、所有者の車両帳簿からのＶＩＮ番号がメインワイヤレスモジュールに記憶される。その制御モジュール中の各登録プレートは、その寸法についての情報を記憶しており、その情報は、データ入力源との同期段階の間に認識され、コンピュータスクリーン上で見ることができるだろう。接続、データ入力、データの変更、更新等に関連するすべての活動は、自動車登録部門、または、他の適切な政府機関からの、認可された人物によって取り扱われる。中央登録オフィスで登録され、独自のＩＤ番号（コード）を有する認可された人物は、入力手続にアクセスを有することができ、情報を修正することができるただ１人の役人であるべきである。すべての入力およびデータ修正は、中央登録オフィスでデータベース中に登録され、そのような入力または修正に関する理由（例えば、大きな車両故障、損傷を受けた車両、登録プレートの損傷または破壊、登録の延長等）が記録される。認可された人物のワイヤレス可能ポータブルコンピュータまたは他の電子デバイスが、メインワイヤレスモジュールを認識し、メインワイヤレスモジュールと同期したときに、特定の車両とのワイヤレスリンクが開かれ、データ転送に対する準備が整う。コンピュータ中には、データベースとインターフェイスされたソフトウェア、または、中央登録データベース（２８）に対する直接のアクセスを有するソフトウェアがあり、中央登録データベースは、関連国の管轄区域のすべての登録車両についての完全な情報を含む。
【００２４】
認可された人物は、適用可能なソフトウェアを使用して、利用可能な英数字登録番号にしたがって、および／または、特定の所有者の希望にしたがいつつ、関連国の登録プレートの法的に承認され、認識されているフォーマットにしたがって、自分のコンピュータ上で１つを選択し、選ばれたプレートの電子サンプルを埋める。ソフトウェアは、異なる色のプレートの背景、例外的な英数字のサイン、例えば、ＥＵや他のいくつかの国／地域に特有の紋章、および／または、車両所有者の居住する国で使用されている付加的記章のような、いくつかのオプションを可能にする。類似のソフトウェアパッケージは、主に登録プレートの製造業者で、および、登録プレートの注文と購入とに関するインターネットベースの会社で、すでに使用されている。ソフトウェアに組み込まれている、選択されたデザインを異なる寸法（通常は、オフロード車両、トレイラーおよびこれらに類似するものにおけるように、より大きくまたは正方形状である後方の登録プレートである）の登録プレート上に記憶することを可能にするオプションがある。これは、コンピュータスクリーン上で、選択された表示が各特定のプレートに貼付される方法（スレーブ／衛星モジュール１−寸法１、スレーブ／衛星モジュール２−寸法２等）で達成される。選択された登録プレートの確定的な選ばれたバージョンは、コンピュータスクリーン上で見ることができ、メインワイヤレスモジュール上に転送されるための準備と、それを通してすべての他の衛星ワイヤレスモジュールに転送されるための準備とが整う。
【００２５】
認可されている人物は、中央ワイヤレスモジュール（マスタ）への選択された表示の転送を実施し、中央ワイヤレスモジュールは、それらのメモリ中に記憶されているＶＩＮ番号と同一のＶＩＮ番号を有する他のワイヤレスモジュールと同期する。データ転送の完了後、中央ワイヤレスモジュールは、パーキングモードに切り替わり、すなわち、衛星ワイヤレスモジュールと同期したままとなる。衛星ワイヤレスモジュールは、探知（ｓｎｉｆｆ）モードであり、すなわち、衛星ワイヤレスモジュールが中央モジュールと絶えずコンタクトを取り続けられるように、予め定められた時間間隔で、中央モジュールに信号を送る。中央モジュールとの接続がないとき、または、中央モジュールからの応答が無いとき、例えば、衛星モジュールが中央モジュールの到達範囲の外にあるとき（窃盗）のような状況では、登録プレート中の制御モジュールは、既存の表示を消去して、電子表示をロックする命令を、電子複合機器に自動的に送る。中央／メインワイヤレスモジュールは、制御モジュールとも協調しており、制御モジュールは、中央モジュールがエネルギー源から切り離された場合（車両強盗）、中央モジュールをロックするように働き、したがって、非認可の繰り返しのデータ入力を防止する。
【本発明の適用のソリューション】
【００２６】
上で説明した本発明を実行する方法は、自動車両または他の移動手段のいずれかが問題になっているかを考慮して、本発明の可能な変形の１つにすぎないことに留意することが重要である。本発明の製造および適用の提示された方法は、市場の既存のソリューションに対して大きな改良を導入し、一般的に登録プロセスの全体のコストを低下させる。登録プロセスは、全体として単純化され、新しい素材の利用、登録データを選択、転送および修正する技術により迅速化しており、登録車両の最も基本的な登録情報への容易かつ制御されているアクセスを可能にする。例えば、交通警察は、限定された（制限された）アクセスでワイヤレス可能電子デバイスを単に使用することによって、関連する車両およびその所有者についての最も基本的な情報へのアクセスを有する立場となることができ、これは、交通警察に容易な追跡および交通制御を可能にする。ソフトウェア制御されたオプションと、事前の認可なしで登録データの読み出しを完了する可能性を限定することとを通して、全情報へのアクセスは制限され、および／または、機密情報の操作／修正は不可能にされるだろう。本発明は、登録プレートを完全に独立した、自動動作する機能的ユニットとして紹介したが、本発明は、登録プレートの窃盗および／または誤使用の可能性も完全になくす。車両の製造工程の間に直接貼付するプロセスは、車両の所有者側からの不必要な行為とともに、プレートの注文、配達および取り付けのプロセスも完全になくす。過渡的な変形として、既存の古い登録プレートを備える車両に対するプレートの取り付けは、非常に単純化されており（プレートをプレートホルダに接着する）、中央／メインワイヤレスモジュールのインストールに関して、象徴的な、一度だけのコストが必要なだけである。電気供給への接続を有する中央モジュールは、大きな機械的／電気的変更、または、付加的な技術的／専門的ソリューションを必要とせずに、インストールすることができる。開示された発明の形態および詳細中のさまざまな省略、置換、変更が、当業者によって、本発明の精神を逸脱することなく行われてもよいことが理解されるだろう。したがって、本発明は、ここに添付された特許請求の範囲によって示されるようにのみ限定されることが意図される。
【図面の簡単な説明】
【００２７】
【図１】図１は、アクティブディスプレイの正面および背面図、ソーラーハウジングの正面および背面図、ならびに、完全に組み立てられたワイヤレス電子登録プレートからなる、ワイヤレス電子登録プレートの実施形態の概略図を示す。
【図２】図２は、本発明にしたがった、アクティブディスプレイ、ソーラーハウジング、および、完全に組み立てられたワイヤレス電子登録プレートの正面および側面断面図を示す。
【図３】図３は、ワイヤレス電子登録プレートを有している車両の概略図であり、および、ピコネットネットワークを通しての、データ入力源から、中央ワイヤレスモジュール（車両）と、衛星ワイヤレスモジュール（登録プレート）とへのワイヤレスデータ送信のプロセスの概略図である。
【図１】
2007526165.tif 000003
【図２】
2007526165.tif 000004
【図３】
2007526165.tif 000005
【国際調査報告】
2007526165.tif 000006
2007526165.tif 000007
2007526165.tif 000008